(57)【要約】【課題】液晶表示部の応答速度の影響により、スイッチ操作による指示に要する時間が長くなることを抑制した液晶表示付き操作ユニットを提供する。【解決手段】スイッチ操作認識部１１は、スイッチ２０の操作状態を受付禁止時間が経過する毎に認識する。液晶表示制御部１２は、スイッチ操作認識部１１によりスイッチ２０の操作が認識された時に、液晶表示部４０の表示を切替える。受付禁止時間設定部１３は、液晶温度センサ１５の検出温度が高いほど、受付禁止時間を短い時間に設定する。【選択図】  図１
2015227993.tif 000002
【特許請求の範囲】
【請求項１】
使用者により操作されるスイッチと、
前記スイッチの操作状態を、所定の受付禁止時間が経過する毎に認識するスイッチ操作認識部と、
液晶表示部と、
前記スイッチ操作認識部により前記スイッチの操作が認識された時に、前記液晶表示部の表示を切替える液晶表示制御部と、
前記液晶表示部の温度を検出する液晶温度検出部と、
前記液晶温度検出部の検出温度が高いほど、前記受付禁止時間を短い時間に設定する受付禁止時間設定部と
を備えたことを特徴とする液晶表示付き操作ユニット。
【請求項２】
請求項１に記載の液晶表示付き操作ユニットにおいて、
前記スイッチは、数値の設定を変更するためのものであり、
前記スイッチ操作認識部により前記スイッチの操作が認識される毎に、前記液晶表示制御部は、前記数値を増加又は減少させて前記液晶表示部に表示することを特徴とする液晶表示付き操作ユニット。
【請求項３】
請求項１又は請求項２に記載の液晶表示付き操作ユニットにおいて、
前記スイッチは、複数の運転条件の中のいずれかを選択するためのものであり、
前記スイッチ操作認識部により前記スイッチの操作が認識される毎に、前記液晶表示制御部は、前記複数の運転条件を切り替えて前記液晶表示部に表示することを特徴とする液晶表示付き操作ユニット。
【請求項４】
請求項１から請求項３のうちのいずれか１項に記載の液晶表示付き操作ユニットにおいて、
前記液晶表示付き操作ユニットは装置本体を遠隔操作するリモコンであって、該装置本体との間で通信を行う通信部を備え、
前記スイッチ操作認識部は、前記スイッチの操作を認識したときに、該操作の内容を示すスイッチ操作データを前記通信部を介して前記装置本体に送信し、
前記液晶表示制御部は、前記スイッチ操作データを受信した前記装置本体から送信される応答データを前記通信部を介して受信したときに、該応答データの内容に基づいて前記液晶表示部の表示を切替えることを特徴とする液晶表示付き操作ユニット。
【発明の詳細な説明】
【技術分野】
【０００１】
本発明は、液晶表示部とスイッチとを有する液晶表示付き操作ユニットに関する。
【背景技術】
【０００２】
従来より、リモコン等の操作ユニットにおける表示部として液晶表示部（液晶パネル）が使用されているが、液晶表示は低温時に応答速度が低下するという特性を有している。
【０００３】
そこで、液晶表示部の温度を検出する温度センサと、液晶表示部を加熱するヒータとを備え、液晶表示部の温度が０℃まで低下したときにヒータを作動させて、液晶表示部の温度を５℃以上に保つようにした構成が提案されている（例えば、特許文献１参照）。特許文献１に記載された構成によれば、温度の低下による液晶表示部の応答速度の低下を防止することができる。
【０００４】
また、液晶パネルを加熱するヒータを採用しない場合には、低温時の液晶表示部の応答速度に基づいて、液晶表示部の表示を切替える間隔が設定される。例えば、液晶表示部と操作スイッチとを備えた操作ユニット（給湯装置のリモコン等）においては、使用者によるスイッチの操作に応じて液晶表示部の表示が切替えられるが、スイッチの受付を禁止する時間（受付禁止時間）が、低温時の液晶表示部の応答速度よりも長い時間に設定されている。
【先行技術文献】
【特許文献】
【０００５】
【特許文献１】特開２００６−１６２９３９号公報
【発明の概要】
【発明が解決しようとする課題】
【０００６】
上述したように、スイッチの受付禁止時間を低温時の液晶表示部の応答速度に基づいて設定した場合、使用者が素早くスイッチを操作しても、操作が認識されずに液晶表示部の表示も切替わらないことがあり、スイッチ操作による指示に時間がかかってしまうという不都合がある。
【０００７】
本発明は上記背景に鑑みてなされたものであり、液晶表示部の応答速度の影響により、スイッチ操作による指示に要する時間が長くなることを抑制した液晶表示付き操作ユニットを提供することを目的とする。
【課題を解決するための手段】
【０００８】
本発明は上記目的を達成するためになされたものであり、本発明の液晶表示付き操作ユニットは、
使用者により操作されるスイッチと、
前記スイッチの操作状態を、所定の受付禁止時間が経過する毎に認識するスイッチ操作認識部と、
液晶表示部と、
前記スイッチ操作認識部により前記スイッチの操作が認識された時に、前記液晶表示部の表示を切替える液晶表示制御部と、
前記液晶表示部の温度を検出する液晶温度検出部と、
前記液晶温度検出部の検出温度が高いほど、前記受付禁止時間を短い時間に設定する受付禁止時間設定部と
を備えたことを特徴とする。
【０００９】
かかる本発明によれば、前記受付禁止時間設定部により、前記液晶表示部の温度が低いときに限定して前記受付禁止時間が長い時間に設定され、前記液晶表示部の温度が平常であるときには、前記受付禁止時間が短い時間に設定される。そのため、前記スイッチの操作による指示に要する時間が長くなることを抑制することができる。
【００１０】
また、前記スイッチは、数値の設定を変更するためのものであり、
前記スイッチ操作認識部により前記スイッチの操作が認識される毎に、前記液晶表示制御部は、前記数値を増加又は減少させて前記液晶表示部に表示することを特徴とする。
【００１１】
この構成によれば、前記液晶温度検出部の検出温度が低温ではないときには、前記受付禁止時間が短い時間に設定される。そのため、前記スイッチ操作認識部は、使用者による前記スイッチの連続的で素早い操作を認識して、数値の増加又は減少の指示を速やかに受け付けることができる。
【００１２】
また、前記スイッチは、複数の運転条件の中のいずれかを選択するためのものであり、
前記スイッチ操作認識部により前記スイッチの操作が認識される毎に、前記液晶表示制御部は、前記複数の運転条件を切り替えて前記液晶表示部に表示することを特徴とする。
【００１３】
この構成によれば、前記液晶温度検出部の検出温度が低温ではないときには、前記受付禁止時間が短い時間に設定される。そのため、前記スイッチ操作認識部は、使用者による前記スイッチの連続的で素早い操作を認識して、運転条件の切替え指示を速やかに受け付けることができる。
【００１４】
また、前記液晶表示付き操作ユニットは装置本体を遠隔操作するリモコンであって、該装置本体との間で通信を行う通信部を備え、
前記スイッチ操作認識部は、前記スイッチの操作を認識したときに、該操作の内容を示すスイッチ操作データを前記通信部を介して前記装置本体に送信し、
前記液晶表示制御部は、前記スイッチ操作データを受信した前記装置本体から送信される応答データを前記通信部を介して受信したときに、該応答データの内容に基づいて前記液晶表示部の表示を切替えることを特徴とする。
【００１５】
この構成によれば、前記スイッチの操作に応じた前記液晶表示部の表示の切替えが、前記装置本体との通信を介して行われる。そして、前記受付禁止時間は、通信に要する時間よりも長い時間に設定する必要があるが、前記液晶表示部の低温時の応答速度が通信に要する時間よりも長い場合には、前記受付禁止時間がさらに長くなる。
【００１６】
そこで、前記受付禁止時間設定部により、前記液晶温度検出部の検出温度が高いほど、前記受付禁止時間を短い時間に設定することによって、前記液晶温度検出部の検出温度が低温でないときには、前記受付禁止時間を通信に要する時間程度に設定することができる。そして、これにより、前記スイッチの操作の認識が遅れることを抑制することができる。
【図面の簡単な説明】
【００１７】
【図１】リモコンの構成図。
【図２】リモコンのスイッチ入力処理のフローチャート。
【図３】台所リモコンの説明図。
【図４】暖房リモコンの説明図。
【図５】浴室リモコンの説明図。
【発明を実施するための形態】
【００１８】
本発明の実施形態について、図１〜図５を参照して説明する。
【００１９】
［１．基本構成］
先ず、図１及び図２を参照して、液晶表示部４０と使用者により操作されるスイッチ２０を備えたリモコン１（本発明の液晶表示付き操作ユニットに相当する）の基本構成について説明する。
【００２０】
図１に示したリモコン１は装置本体２を遠隔操作するためのものであり、ＣＰＵ，メモリ，入出力インターフェース等により構成されたマイクロコンピュータ１０、使用者により操作されるスイッチ２０、装置本体２との間で通信を行う通信部２１、液晶表示部４０、液晶表示部４０に駆動信号を出力するＬＣＤドライバ３０、及び液晶表示部４０の近傍に設けられて液晶表示部４０の温度を検出する液晶温度センサ１５（本発明の液晶温度検出部に相当する）を備えている。
【００２１】
マイクロコンピュータ１０は、メモリに保持されたリモコン１の制御用プログラムをＣＰＵで実行することによって、スイッチ操作認識部１１、液晶表示制御部１２、受付禁止時間設定部１３として機能する。
【００２２】
スイッチ操作認識部１１は、スイッチ２０のＯＮ（操作状態）及びＯＦＦ（非操作状態）を、スイッチ２０からマイクロコンピュータ１０に入力されるスイッチ信号によって認識する。
【００２３】
液晶表示制御部１２は、液晶表示部４０の表示内容に応じた表示データをＬＣＤドライバ３０に出力する。ＬＣＤドライバ３０は、液晶表示制御部１２から入力された表示データを、液晶表示部４０用のコモン及びセグメントの駆動信号に変換して液晶表示部４０に出力する。また、液晶表示制御部１２は、スイッチ２０の操作に応じて、液晶表示部４０の表示内容を変更する制御を行う。
【００２４】
受付禁止時間設定部１３は、スイッチ操作認識部１１がスイッチ２０の操作状態を認識する時間間隔である受付禁止時間を、温度が低いほど遅くなる液晶表示部４０の応答速度を考慮して、液晶温度センサ１５の検出温度が高いほど短い時間に設定する。
【００２５】
次に、図２に示したフローチャートに従って、スイッチ操作認識部１１、液晶表示制御部１２、及び受付禁止時間設定部１３による処理について説明する。リモコン１への電力供給が開始されてマイクロコンピュータ１０が起動すると、図２に示したフローチャートによる処理が実行される。
【００２６】
ＳＴＥＰ１〜ＳＴＥＰ３及びＳＴＥＰ３１は、受付禁止時間設定部１３による処理である。受付禁止時間設定部１３は、ＳＴＥＰ１で、液晶温度センサ１５の温度検出信号により、液晶表示部４０の温度ＴＬを測定する。
【００２７】
続くＳＴＥＰ２で、受付禁止時間設定部１３は、液晶表示部４０の温度ＴＬが７℃よりも高いか否かを判断する。液晶表示部４０の温度ＴＬが７℃よりも高いときはＳＴＥＰ３１に分岐し、受付禁止時間設定部１３は、受付禁止時間ｔｋを２００ｍｓに設定してＳＴＥＰ４に進む。一方、液晶表示部４０の温度ＴＬが７℃以下であるときにはＳＴＥＰ３に進み、受付禁止時間設定部１３は、受付禁止時間ｔｋを５００ｍｓに設定してＳＴＥＰ４に進む。
【００２８】
ＳＴＥＰ４はスイッチ操作認識部１１による処理である。スイッチ操作認識部１１は、スイッチ２０から出力されるスイッチ信号によりスイッチ２０の操作状態を認識する。スイッチ２０がＯＮ状態（操作状態）であるときはＳＴＥＰ５に進み、スイッチ２０がＯＦＦ状態（非操作状態）であるときにはＳＴＥＰ１に分岐する。
【００２９】
続くＳＴＥＰ５は液晶表示制御部１２による処理である。液晶表示制御部１２は、ＳＴＥＰ４で認識されたスイッチ２０の操作の内容を示すスイッチ操作データを、通信部２１を介して装置本体２に送信する。装置本体２は、スイッチ操作データを受信したときに、スイッチ操作データが示す操作状態に対する応答データを、リモコン１に送信する。応答データを通信部２１を介して受信した液晶表示制御部１２は、応答データの内容に基づいて液晶表示部４０の表示内容を変更する。
【００３０】
次のＳＴＥＰ６〜ＳＴＥＰ７はスイッチ操作認識部１１による処理である。スイッチ操作認識部１１は、ＳＴＥＰ６で受付禁止時間ｔｋを設定時間とする受付禁止タイマをスタートさせる。そして、続くＳＴＥＰ７で受付禁止タイマがタイムアップしたときにＳＴＥＰ１に進む。
【００３１】
ＳＴＥＰ６〜ＳＴＥＰ７の処理により、受付禁止時間ｔｋが経過する毎に、ＳＴＥＰ４でスイッチ２０の操作状態を認識する処理が実行される。そして、受付禁止時間設定部１３により実行されるＳＴＥＰ１〜ＳＴＥＰ３及びＳＴＥＰ３１の処理によって、液晶温度ＴＬが７℃を超えているときは、液晶温度ＴＬが７℃以下であるときよりも受付禁止時間ｔｋが短い時間（２００ｍｓ）に設定される。
【００３２】
そのため、液晶表示部４０の応答速度が低下する低温環境下（７℃以下）を除いて、受付禁止時間ｔｋが短く設定され、これにより、スイッチ２０の操作による指示に対する、液晶表示部４０の表示の切替えの応答性を高めることができる。
【００３３】
なお、本実施形態では、液晶温度ＴＬが７℃を超えているか否かに応じて、受付禁止時間ｔｋを２段階（２００ｍｓ，５００ｍｓ）に設定したが、３段階以上に受付禁止時間ｔｋを切替えるようにしてもよい。また、段階的ではなく、液晶温度ＴＬに反比例させて受付禁止時間ｔｋを連続的に変更するようにしてもよい。
【００３４】
［２．具体的な適用形態］
次に、図３〜図５を参照して、液晶表示部４０とスイッチ２０の具体的な構成例について説明する。図３〜図５では、図１に示した構成に相当する構成をａ〜ｃを付して示している。
【００３５】
［２−１．給湯リモコン］
先ず、図３は給湯装置（本発明の装置本体に相当する）を遠隔操作するために台所に設置される台所リモコン１ａである。
【００３６】
台所リモコン１ａは、液晶表示部４０ａと、使用者により操作されるスイッチ２０ａ（２１ａ〜３３ａから成る）とを備えている。液晶表示部４０ａには給湯温度４１ａ、時刻４２ａ、目標値に対するエネルギーの使用状況を示すＥｃｏガイド４３ａ等が表示される。
【００３７】
２１ａは他のリモコンとのインターホン通話を行うための通話スイッチ、２２ａは浴槽内の湯水の追焚きを指示するための追焚きスイッチ、２３ａは浴槽への所定量の湯の供給を指示するための自動湯張りスイッチ、２４ａは給湯装置を運転状態（給湯が可能な状態）と待機状態（給湯が不能な状態）とに切替える運転スイッチである。
【００３８】
また、２５ａは現在の湯及び電気の使用量の表示を指示するためのエネライブスイッチ、２７ａ，２８ａは給湯温度，時刻等の変更を指示するためのＵＰ，ＤＯＷＮスイッチ、２６ａはＵＰスイッチ２７ａ，ＤＯＷＮスイッチ２８ａによる変更の確定を指示するための決定スイッチである。
【００３９】
また、２９ａは表示電力の節約を指示するための省電力表示スイッチ、３０ａは浴槽への湯張りを予約するためのふろ予約スイッチ、３１ａは音量等の各種変更を指示するための設定変更スイッチ、３２ａはリモコン１ａの時計を合わせるための現在時刻スイッチ、３３ａはガス・水・電気の使用量等の表示を指示するためのエネルックスイッチ、３５はスピーカである。
【００４０】
台所リモコン１ａにおいては、使用者が、給湯温度（本発明の数値に相当する）を変更するときにＵＰスイッチ２７ａ又はＤＯＷＮスイッチ２８ａを押し続けると、上述した図２のフローチャートによる処理によって、液晶表示部４０ａに表示される給湯温度４１ａが連続的に増減する。そして、給湯温度４１ａが増減する速度は、受付禁止時間ｔｋが短いほど速くなる。
【００４１】
そのため、受付禁止時間設定部１３により、液晶温度ＴＬが低いときを除いて受付禁止時間ｔｋを短い時間に設定することによって、給湯温度の変更に要する時間を短縮することができる。
【００４２】
［２−２．暖房リモコン］
次に、図４は熱源機から温水暖房端末（床暖房機、温水温風暖房機等）に温水を循環供給する熱源機（本発明の装置本体に相当する）を遠隔操作する、暖房リモコン１ｂを示している。
【００４３】
暖房リモコン１ｂは、液晶表示部４０ｂと、使用者により操作されるスイッチ２０ｂ（２１ｂ〜２６ｂから成る）とを備えている。液晶表示部４０ｂには、複数の温水暖房端末の入／切等を設定するためのメニュー表示４１ｂ等が表示される。なお、メニュー表示４１ｂの表示事項は、本発明の運転条件に相当する。
【００４４】
２１ｂは液晶表示部４０ｂの表示をメニュー表示４１ｂに切替えるためのメニュースイッチ、２２ｂはメニュー表示４１ｂの上方向へのスクロール等を行うためのＵＰスイッチ、２３ｂはメニュー表示４１ｂの下方向へのスクロール等を行うためのＤＯＷＮスイッチ、２４ｂは設定内容を確定させるための決定スイッチ、２５ｂは液晶表示部４０ｂの表示画面を一つ前に戻すための戻るスイッチ、２６ｂはガス・水・電気の使用量等の表示を指示するためのエネルックスイッチである。
【００４５】
暖房リモコン１ｂにおいては、使用者がメニュー表示４１ｂにより、複数の暖房端末の中から設定を行う暖房端末を選択するときにＵＰスイッチ２２ｂ又はＤＯＷＮスイッチ２３ｂを押し続けると、上述した図２のフローチャートによる処理によって、メニュー表示４１ｂが上方向又は下方向に連続的にスクロールする。そして、メニュー表示４１ｂがスクロールする速度は、受付禁止時間ｔｋが短いほど速くなる。
【００４６】
そのため、受付禁止時間設定部１３により、液晶温度ＴＬが低いときを除いて受付禁止時間ｔｋを短い時間に設定することによって、暖房端末の設定に要する時間を短縮することができる。
【００４７】
［２−３．浴室リモコン］
次に、図５は浴槽への給湯機能を有する給湯装置（本発明の装置本体に相当する）を遠隔操作するために、浴室に設置された浴室リモコン１ｃを示している。
【００４８】
浴室リモコン１ｃは、液晶表示部４０ｃと、使用者により操作されるスイッチ２０ｃ（２１ｃ〜２５ｃから成る）とを備えている。液晶表示部４０ｃには、各種機能（浴槽への足し湯、足し水等）の入／切等を設定するためのメニュー表示４１ｃ等が表示される。なお、メニュー表示４１ｃの表示事項は、本発明の運転条件に相当する。
【００４９】
２１ｃは液晶表示部４０ｃの表示をメニュー表示４１ｃに切替えるためのメニュースイッチ、２２ｃはメニュー表示４１ｃの上方向へのスクロール等を行うためのＵＰスイッチ、スイッチ２３ｃはメニュー表示４１ｃの下方向へのスクロール等を行うためのＤＯＷＮスイッチ、スイッチ２４ｃは設定内容を確定させるための決定スイッチ、２５ｃは液晶表示部４０ｃの表示画面を一つ前に戻すための戻るスイッチである。
【００５０】
浴室リモコン１ｃにおいては、使用者が各種の風呂機能を利用するときにＵＰスイッチ２２ｃ又はＤＯＷＮスイッチ２３ｃを押し続けると、上述した図２のフローチャートによる処理によって、メニュー表示４１ｃが上方向又は下方向に連続的にスクロールする。そして、メニュー表示４１ｃがスクロールする速度は、受付禁止時間ｔｋが短いほど速くなる。
【００５１】
そのため、上述したように、受付禁止時間設定部１３により、液晶温度ＴＬが低いときを除いて受付禁止時間ｔｋを短い時間に設定することによって、暖房端末の設定に要する時間を短縮することができる。
【００５２】
［３．他の実施形態］
図３〜図５では、本発明の液晶表示付き操作ユニットとして、給湯装置及び熱源機を遠隔操作するリモコンを例示したが、液晶表示部とスイッチを備えた操作ユニットであれば本発明を適用することができる。例えば、衣類乾燥機、調理機器（炊飯器，オーブン等）、空調機器等の各種機器に設けられる液晶表示付き操作ユニットに対して、本発明の適用が可能である。
【符号の説明】
【００５３】
１，１ａ，１ｂ，１ｃ…リモコン、１０…マイクロコンピュータ、１１…スイッチ操作認識部、１２…液晶表示制御部、１３…受付禁止時間設定部、１５…液晶温度センサ、２０…スイッチ、３０…ＬＣＤドライバ、４０…液晶表示部。
【図１】
2015227993.tif 000003
【図２】
2015227993.tif 000004
【図３】
2015227993.tif 000005
【図４】
2015227993.tif 000006
【図５】
2015227993.tif 000007